(57)【要約】      （修正有）【課題】安全でかつ効率よくマイナスイオンが放出できるような電極安全カバーを有したマイナスイオン発生器を持つ電球型発光器を提供する。【解決手段】電極３から放出される電子によって生成されるマイナスイオンの有効放出界１０の範囲外に吹き出し口縁辺５があり、かつ、吹き出し口４から電気用品安全法で規定する試験指を差し込んだとき完全に入り込まず、その条件で試験指の先端と電極３との距離が０．５ｍｍから５ｍｍ以内に設定してなる電極安全カバー２もしくは円筒型電極安全カバー７を設ける。【選択図】図３
0003154268.tif 000002
【実用新案登録請求の範囲】
【請求項１】
電気的に中和され難いように放電計及び炭素繊維集合体なとの電極から放出される電子によって生成されるマイナスイオンの有効放出界つまり３０度程度に開いた逆円錐領域の範囲外に吹き出し口の縁辺があり、かつ、吹き出し口から電気用品安全法で規定する試験指を差し込んだとき完全に入り込まず、その条件で試験指の先端と電極との距離が０，５ｍｍから５ｍｍ以内に設定してなるグローブ型もしくは電極を直接覆う円筒型の電極安全カバーを有するマイナスイオン発生器を持つ電球型発光器。
【考案の詳細な説明】
【技術分野】
【０００１】本考案は、マイナスイオン発生器を有する電球型の蛍光ランプ等に関するものである。
【背景技術】
【０００２】従来、口金を有するいわゆる電球型の蛍光ランプ等にマイナスイオンを発生させるものがあった。これらはどこにでもある普遍的な電球用照明器具に用いることができる軽便な空気清浄器としても位置付けられている。これらの灯器としての点灯回路又はマイナスイオン発生器の回路構造に触れることはしないが、本考案の目的から、これらのマイナスイオン発生器周辺の構造に触れてみる。電球型の蛍光ランプタイプに関して言えば、マイナスイオン発生器の電極は口金と一体の電気回路ケース上面の中心に突起状に設置されている。蛍光管はコンパクトにするためにスパイラル状もしくはＵの字型に曲げられてあり、蛍光管の両端部は電気回路ケース上面に設けられた二個の穴に納められている。Ｕの字型に曲げられたものは複数設置されるものもあった。放出される電子によってマイナスイオンを発生させる電極には針状の放電針かもしくは炭素繊維集合体なとが用いられ、絶縁された突起部から露出させる。露出させる理由として、これらマイナスイオン発生器には送風手段を有しないのと、電極を安易にカバーするとカバーとの電気的中和によってマイナスイオン放出量が極端に少なくなるという現象が起こるからである。このように吹き出し口から簡単に指が触れ感電するような危険なものもあったが取扱い上の注意事項として表示されている。
【考案の開示】
【考案が解決しようとする課題】
【０００３】  従来の技術で述べたように、送風手段を持たないマイナスイオン発生器を有する電球型発光体にはマイナスイオンを効果的に拡散させるために電極を露出せざるを得ない理由があった。しかし問題なのは、これら露出した電極は電流量が小さいとはいえ数千Ｖから数万Ｖの高電圧がかかっているので直接触れば感電することである。又、湿度や汚れなどの状況によってはショートして他の電子機器に対する悪影響が出る恐れもあるし心臓のペースメーカーに対する悪影響は無視できない。今後普及するであろうＬＥＤタイブのものでも点灯システムが異なるとはいえ、同様の問題が予想される。電球のような製品は電源を入れたままでは交換しないであろうという予測から取扱い上の注意程度に済ましているともいえる。しかし、照明器具は多様であり手元で使うものも多くあるのでどのような事故が起こるかはわからない。本考案はこのような課題を解決すべく安全でかつ効率よくマイナスイオンが放出できるような電極安全カバーを有したマイナスイオン発生器を持つ電球型発光器を広く提供することにある。
【課題を解決するための手段】
【０００４】  課題を解決するための電極安全カバーとして、電極に直接安全カバーを被せる、又は、電極と蛍光管なと発光体ともともグローブ様のカバーで覆って電極に触れないようにする手段がある。しかし、いずれの手段にしても安全でかつマイナスイオンの効果的な放出が実現できなければならない。安全面から言えば、電気用品安全法に規定される試験指を用いてこれを差し込んだときに直接電極に触れないような吹き出し口の形状及び寸法を設定する必要がある。同時にこれによってマイナスイオンの放出が大きく影響を受けないような工夫も必要である。そのためには電極の放電針が電子をどのように放出するかを考慮すべきである。大気圧の条件下では電圧をより高くし、更に針先の先端が鋭くなればなるほど電子は放出されやすいことは良く知られている。又、放電は放電針を使ったコロナ放電で視認できるように針先端から対極に向けて起こる。電気的対極のない空中放電の場合は針先から逆円錐状に広がり拡散していくのだが、その電子密度は限定的であるが針先端及び針先に近い領域が高いものと考えられるのでこの逆円錐状領域を電子の放射界とすればよい。この電子の放射界は電圧や先鋭度など条件にもよるが先端部を中心にして概ね３０度から６０度に開いた逆円錐体にとみなしても差し支えないと考える。又、電子の放射界はマイナスイオンの放射界と近似と見て差し支えない。放出された電子はすぐに大気中の気体分子と結合しマイナスイオンとなるからである。ところで先に述べた試験指は最大直径が１２ｍｍなので、電極安全カバーに穿つマイナスイオン吹き出し口は当然それ以下の寸法でなければならない。つまり、電極安全カバーのマイナスイオン吹き出し口の穴径は１２ｍｍ以下であり、かつ電極の放電針の先端は差し込んだ試験指に触れず、しかもマイナスイオンの吹き出し口の縁辺は３０度程度に開いた電子の放射界の外にあることが望ましい。これは電子の密度が高いいわば有効放射界である。このように条件付けされるならば、電極のみを円筒型にカバーしてもグローブ型にしても安全性と効果は期待できる。電極の位置は、前記した条件から考えて、試験指の先端から０，５ｍｍから５ｍｍ離したところが最適と考えられる。この許容範囲は針先の加工度や印加する電圧の大きさで変動するので調節すればよい。このようにすれば感電しにくくしかも放電で放出されるマイナスイオンの量も効果的に確保できる。この位置関係は重要で、電極から放電により放出されるマイナスイオンが電極安全カバーに衝突して電気的に中和される量を最小限に抑えることと関係がある。一般的に樹脂はプラスイオンを有している。電極安全カバーの素材はグローブ型ならば透光性に優れかつ耐熱性と耐アーク性及び耐衝撃性を有する樹脂成形品もしくはガラス製が望ましい。円筒型の電極安全カバー素材も同等もしくはセラミックでも構わない。
【考案の効果】
【０００５】  上述のように、本考案の電極安全カバーを有したマイナスイオン発生器を持つ電球型発光器は、安全を客観的に実現するために電気用品安全法にのっとった試験指で行うものであり、かつ、電極から放出されるマイナスイオンを効果的に放出させるために電子の有効放出界を設定して適切な電極位置を得られる効果を有する。
【考案を実施するための最艮の形態】
【０００６】  課題を解決するための手段でも述べたように、電極安全カバーとして、電極に直接安全カバーを被せる、又は、電極と蛍光管など発光体ともどもグローブ様のカバーで覆って電極に触れないようにする手段がある。いずれも基本的には従来型の電球型蛍光灯などの構造及び寸法を踏襲しこれを利用するものが最良の形態といえる。つまり、電球型であることが最良の形態であって、これから逸脱することは普遍性を否定することになるからである。グローブを有するものではグローブ頭頂部に試験指が入りきらない寸法の吹き出し口を設けて、この縁辺が電子の有効放射界に触れないように電極の位置を決定すればよい。電気用品安全法で規定する試験指の最大直径は１２ｍｍなので吹き出し口はこれ以下にしなければならない。電極が放電針の場合で考えると、電子の有効放射界は針先を中心にして３０度の角度を持った逆円錐状領域と考えられるので、これを基準にして電極の位置は試験指との間隔を０．５ｍｍから５ｍｍの間に設定するのが望ましい。この許容範囲と電子の有効放射界の関係は図１及び図２で示してある。吹き出し口の寸法は直径で１１ｍｍから７ｍｍの範囲で示した。
【実施例】
【０００７】  以下、図面に従って実施例を説明する。図３はグローブ型電極カバーの部分断面図で、図４はもう一つの実施例で円筒型電極カバーの部分断面図である。１は電極安全カバーを有したマイナスイオン発生器を持つ電球型発光器、２は樹脂製のグローブ型電極安全カバー、３は電極で放電針、４は円形の吹き出し口、５は吹き出し口の縁辺、６は蛍光灯の発光体、８は口金で一般の電球と同仕様のものである。９は電子の放射界を示し、１０は電子の有効放射界を示す。図１は電子の有効放出界と試験指の最良の位置関係を示す模式図で、図２は電子の有効放出界と試験指の限界位置関係を示す模式図である。１１は試験指、１２は吹き出し口Ａで直径１１ｍｍを、１３は吹き出し口Ｂで直径１０ｍｍを、１４は吹き出し口Ｃで直径９ｍｍを、吹き出し口Ｄで直径７ｍｍを線で示す。
【産業上の利用可能性】
【０００８】  本考案は以上のように構成されるので、安全で効率のよいマイナスイオン発生器を有する発光器を得て、悪臭やタバコの煙など汚染空気に悩む一般家庭や病院及びレストランそして産業用にも広く提供することができるので有用である。
【図面の簡単な説明】
【０００９】
【図１】  電子の有効放出界と試験指の最良の位置関係を示す模式図である。
【図２】  電子の有効放出界と試験指の限界位置関係を示す模式図である。
【図３】  本考案の実施例であるグローブ型電極カバーの部分断面図である。
【図４】  本考案のもう一つの実施例である円筒型電極カバーの部分断面図である。
【符号の説明】
【００１０】１  電極安全カバーを有したマイナスイオン発生器を持つ電球型発光器
２  グローブ型電極カバー
３  電極
４  吹き出し口
５  吹き出し口縁辺
６  発光体
７  円筒型電極安全カバー
８  口金
９  電子の放出界
１０  電子の有効放出界
１１  試験指
１２  吹き出し口Ａの直径
１３  吹き出し口Ｂの直径
１４  吹き出し口Ｃの直径
１５  吹き出し口Ｄの直径
１６  電極と試験指の最大間隔
１７  電極と試験指の最小間隔
１８  放電針先端
【図１】
0003154268.tif 000003
【図２】
0003154268.tif 000004
【図３】
0003154268.tif 000005
【図４】
0003154268.tif 000006